【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
共有の通信リンクを有する、第２の装置との時分割多重プロトコルによる通信用インタフェースと、
マルチプレクサとを備え、
前記マルチプレクサは、
複数のプロトコルの中の第１のプロトコルの遅延要件と、前記複数のプロトコルの中の他のプロトコルのトラフィックによって部分的に与えられた最大待ち行列遅延との双方に基づいて、ビット数であるタイムスロット幅を決定し、
前記第１のプロトコルの前記遅延要件を含む前記第１のプロトコルの性能要件を満たすように前記複数のプロトコル間でのタイムスロットの割り当てを決定し、
前記タイムスロット幅と前記タイムスロットの割り当てに基づいて、送信のため、前記複数のプロトコルの各データをタイムスロットに多重化する、
装置。
【請求項２】
前記第１のプロトコルの性能要件には、帯域幅要件及びサービスの品質（ＱｏＳ）要件のうちの１つ又は複数が含まれる請求項１に記載の装置。
【請求項３】
前記タイムスロットの割り当てを決定することには、
前記第１のプロトコルの前記性能要件を満たす前記第１のプロトコルに割り当てるタイムスロット数を、タイムスロットのセットの範囲で決定することと、
少なくとも前記タイムスロット数を、前記タイムスロットのセットの範囲で前記第１のプロトコルに割り当てること、
が含まれる請求項１に記載の装置。
【請求項４】
前記タイムスロットの割り当てを決定することには、１つ又は複数のタイムスロットの位置の割り当てを前記第１のプロトコルの性能要件に基づいて決定することが含まれる請求項１に記載の装置。
【請求項５】
前記タイムスロット幅の前記ビット数は、第１スピードのトラフィック用の１ビットと、第２スピードのトラフィック用の１ニブルと、第３スピードのトラフィック用の１バイトとのうちの１つであり、前記第１スピードは前記第２スピード及び前記第３スピードより遅く、前記第３スピードは前記第１スピード及び前記第２スピードより速い請求項１に記載の装置。
【請求項６】
前記共有の通信リンクは、１つ又は複数のワイヤ又は光学ファイバーを含む双方向リンクである請求項１に記載の装置。
【請求項７】
前記第１のプロトコルは、ＵＳＢ（Ｕｎｉｖｅｒｓａｌ  Ｓｅｒｉａｌ  Ｂｕｓ）（登録商標）プロトコルである請求項１に記載の装置。
【請求項８】
前記複数のプロトコルにはＵＳＢが含まれ、前記共有の通信リンクにはＵＳＢ互換性コネクタの１つ又は複数の導体が含まれる請求項１に記載の装置。
【請求項９】
前記複数のプロトコルにはＵＳＢ３．０が含まれ、前記共有の通信リンクにはＵＳＢ２．０互換性コネクタの１つ又は複数の導体が含まれる請求項１に記載の装置。
【請求項１０】
前記タイムスロットの割り当てには、第１のグループにおけるパケット通信のためのタイムスロットと第２のグループにおける前記第１のプロトコルを含むタイムスロットとの割り当てが含まれる請求項１に記載の装置。
【請求項１１】
前記第１のグループにはＵＳＢ３．０パケット通信が含まれ、前記第１のプロトコルにはＵＳＢの低速トラフィック、フルスピードトラフィック、高速トラフィックのうちの１つ又は複数が含まれる請求項１０に記載の装置。
【請求項１２】
前記第１のプロトコルは、Ｉ２Ｃシリアルバス用のプロトコルである請求項１に記載の装置。
【請求項１３】
前記第１のプロトコルは、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）用のプロトコルである請求項１に記載の装置。
【請求項１４】
前記装置は、物理的に存在するノードに加えてもう１つのノードとして列挙されている請求項１に記載の装置。
【請求項１５】
第１の装置から第２の装置への送信のため、第１のプロトコルを含む複数のプロトコルのデータトラフィックを受信するステップと、
前記第１のプロトコルの遅延要件と、前記複数のプロトコルの中の他のプロトコルのトラフィックによって部分的に与えられた最大待ち行列遅延との双方に基づいて、ビット数であるタイムスロット幅を決定ステップと、
各プロトコルの前記データトラフィックを、前記タイムスロット幅以下の部分に分割するステップと、
前記第１のプロトコルの前記遅延要件を含む前記第１のプロトコルの１つ又は複数の性能要件を満たすように、前記複数のプロトコル間で、複数の期間セットの各期間セットにおけるタイムスロットの割り当てを決定するステップと、
前記タイムスロットの割り当てに基づいて、前記複数のプロトコルの各データの前記部分をタイムスロットに挿入するステップと、
共有の通信リンクを通じて、前記複数のプロトコルの各データを時分割多重プロトコルによって送信するステップとを備える方法。
【請求項１６】
前記１つ又は複数の性能要件には、帯域幅要件及びサービスの品質（ＱｏＳ）要件のうちの１つ又は複数が含まれる請求項１５に記載の方法。
【請求項１７】
前記タイムスロットの割り当てを決定することには、
前記第１のプロトコルの前記１つ又は複数の性能要件を満たす前記第１のプロトコルに割り当てるタイムスロット数を、タイムスロットのセットの範囲で決定することと、
少なくとも前記タイムスロット数を、前記タイムスロットのセットの範囲で前記第１のプロトコルに割り当てること、
が含まれる請求項１５に記載の方法。
【請求項１８】
前記第１のプロトコルの前記１つ又は複数の性能要件を満たすたように前記タイムスロットの割り当てを決定することには、１つ又は複数のタイムスロットの位置の割り当てを決定することが含まれる請求項１５に記載の方法。
【請求項１９】
前記第１の装置によって前記第２の装置との同期を確立するステップをさらに備え、前記同期を確立するステップには、同期検出前の各期間セットの第１のタイムスロットにおける第１のシンボルの送信と、同期検出後の各期間セットの前記第１のタイムスロットにおける第２のシンボルの送信とが含まれる請求項１５に記載の方法。
【請求項２０】
複数のプロトコルの中の第１のプロトコルの遅延要件と、前記複数のプロトコル中の他のプロトコルのトラフィックによって部分的に与えられた最大待ち行列遅延との双方に基づいて、ビット数であるタイムスロット幅を決定するステップと、
前記第１のプロトコルの前記遅延要件を含む前記第１のプロトコルの１つ又は複数の性能要件を満たすように、前記複数のプロトコル間で、タイムスロットの割り当てを決定するステップと、
前記タイムスロット幅と前記タイムスロットの割り当てとに基づいて、送信のため、前記複数のプロトコルの各データをタイムスロットに挿入するステップと、
を備える方法。
【請求項２１】
前記１つ又は複数の性能要件には、帯域幅要件及びサービスの品質（ＱｏＳ）要件のうちの１つ又は複数が含まれる請求項２０に記載の方法。
【請求項２２】
プロセッサによって実行されると、前記プロセッサに、
第１の装置から第２の装置への時分割多重プロトコルによる送信のため、第１のプロトコルを含む複数のプロトコルのデータトラフィックを受信するステップと、
前記複数のプロトコル中の他のプロトコルのトラフィックによって部分的に与えられた最大待ち行列遅延に基づく前記第１のプロトコルの遅延要件に基づいて、ビット数であるタイムスロット幅を決定するステップと、
各プロトコルの前記データトラフィックを、前記タイムスロット幅以下の部分に分割するステップと、
前記第１のプロトコルの前記遅延要件を含む前記第１のプロトコルの１つ又は複数の性能要件を満たすように、前記複数のプロトコル間で、複数の期間セットの各期間セットにおけるタイムスロットの割り当てを決定するステップと、
前記複数のプロトコルの各データの前記部分を、前記タイムスロットの割り当てに基づいてタイムスロットに挿入するステップと、
共有の通信リンクを通じて、前記複数のプロトコルの各データを送信するステップとを含む動作を実施させるための一連の命令を表したデータを記憶する非一時的なコンピュータ可読記憶媒体。